(57)【要約】【課題】内転筋隆起部分及びその前後の窪みに対するフィット性を向上させる。【解決手段】上記課題は、股間部Ｃ２の前側及び後側にそれぞれ延出する前側部分Ｆ２及び後側部分Ｂ２を有し、前側部分Ｆ２から後側部分Ｂ２にかけて主吸収体３０が設けられ、この主吸収体３０上に、内転筋隆起部分１００の前側の窪み１０１から内転筋隆起部分１００の後側の窪み１０２までの領域と対向するとともに、内転筋隆起部分１００に沿う線状の易折り曲げ部４１を有する内腿フィット用吸収体４０が設けられている、パッドタイプ使い捨ておむつ２００により解決される。【選択図】図５
2014188188.tif 000002
【特許請求の範囲】
【請求項１】
股間部の前側及び後側にそれぞれ延出する前側部分及び後側部分を有する吸収性物品において、
前側部分から後側部分にかけて主吸収体が設けられ、
この主吸収体上に、内転筋隆起部分の前側の窪みから内転筋隆起部分の後側の窪みまでの領域と対向するとともに、内転筋隆起部分に沿う線状の易折り曲げ部を有する内腿フィット用吸収体が設けられている、
ことを特徴とする吸収性物品。
【請求項２】
前記内腿フィット用吸収体は、前記主吸収体の側縁の幅方向内側から幅方向外側にかけて延在されている、請求項１記載の吸収性物品。
【請求項３】
前記内腿フィット用吸収体は、易折り曲げ部よりも前側の領域の後端部、及び易折り曲げ部よりも後側の領域の前端部が表面側に隆起している、請求項１又は２記載の吸収性物品。
【請求項４】
前記内腿フィット用吸収体は左右独立に設けられている、請求項１〜３のいずれか１項に記載の吸収性物品。
【請求項５】
前記内腿フィット用吸収体の後端部よりも前側には、吸収性物品の両側部に立体ギャザーが設けられておらず、
前記易折り曲げ部は前記内腿フィット用吸収体の側縁に達していない、請求項１〜４のいずれか１項に記載の吸収性物品。
【請求項６】
前記内腿フィット用吸収体は、側縁と内転筋隆起部分と交差する位置に、幅方向中央側に窪む窪み部が形成されている、請求項１〜５のいずれか１項に記載の吸収性物品。
【請求項７】
前記内腿フィット用吸収体の裏側に、前記内腿フィット用吸収体における前記易折り曲げ部の前側及び後側の少なくとも一方を前後方向に収縮させる隆起用弾性部材が設けられている、請求項１〜６のいずれか１項に記載の吸収性物品。
【請求項８】
前記内腿フィット用吸収体の裏側に、前記内腿フィット用吸収体を幅方向に収縮させる湾曲用弾性部材が設けられている、請求項１〜７のいずれか１項に記載の吸収性物品。
【請求項９】
前記左右の内腿フィット用吸収体間の領域の少なくとも一部と重なるように、前記主吸収体に厚み方向に貫通するスリットが形成されている、請求項４記載の吸収性物品。
【発明の詳細な説明】
【技術分野】
【０００１】
本発明は、内腿の窪みや裏腿の窪みに対するフィット性を向上させた吸収性物品に関するものである。
【背景技術】
【０００２】
太腿が痩せると、内転筋の形状が表面に現れるようになり、太腿の表面には内転筋による筋状の隆起部分（以下、内転筋隆起部分という）を生ずる結果、その隆起部分の前後両側（内腿の前面及び後面）に窪みを生ずる。このような傾向は、高齢者、中でも拘縮等が原因で、寝たきりの人や車いすが手放せない人や、自分では体の向きや位置を変えられない人において顕著である。
【０００３】
従来の吸収性物品は、立体ギャザーにより脚周りのフィット性を確保するようになっているが、上述のような内転筋隆起部分やその前後の窪みに対しては十分なフィット性が得られず、脚周りからの漏れが発生することがあった。
【０００４】
この問題点を解決するものとして、特許文献１の技術も提案されており、この先行技術は立体ギャザーと比べれば格段に優れているが、内転筋隆起部分やその前後の窪みに対するフィット性という点では、改善の余地がある。
【先行技術文献】
【特許文献】
【０００５】
【特許文献１】特開２０１１−１９４１５２号公報
【特許文献２】特開２００８−１６１２５１号公報
【発明の概要】
【発明が解決しようとする課題】
【０００６】
そこで、本発明の主たる課題は、内転筋隆起部分及びその前後の窪みに対するフィット性を向上させることにある。
【課題を解決するための手段】
【０００７】
上記課題を解決した本発明は次記のとおりである。
＜請求項１記載の発明＞
股間部の前側及び後側にそれぞれ延出する前側部分及び後側部分を有する吸収性物品において、
前側部分から後側部分にかけて主吸収体が設けられ、
この主吸収体上に、内転筋隆起部分の前側の窪みから内転筋隆起部分の後側の窪みまでの領域と対向するとともに、内転筋隆起部分に沿う線状の易折り曲げ部を有する内腿フィット用吸収体が設けられている、
ことを特徴とする吸収性物品。
【０００８】
（作用効果）
本発明は、主吸収体上に、内転筋隆起部分の前側の窪みから内転筋隆起部分の後側の窪みまでの領域と対向するとともに、内転筋隆起部分に沿う線状の易折り曲げ部を有する内腿フィット用吸収体を備えたところに特徴を有する。装着時には、この内腿フィット用吸収体を易折り曲げ部で折り曲げて内転筋隆起部分を挟むことができ、内転筋隆起部分だけでなく、その前後の窪みに対しても内腿フィット用吸収体がしっかりとフィットするようになる。よって、内転筋隆起部分及びその前後の窪みに起因する漏れを、より効果的に防止することができる。
【０００９】
＜請求項２記載の発明＞
前記内腿フィット用吸収体は、前記主吸収体の側縁の幅方向内側から幅方向外側にかけて延在されている、請求項１記載の吸収性物品。
【００１０】
（作用効果）
このように、内腿フィット用吸収体は、前記主吸収体の側縁の幅方向内側から幅方向外側にかけて延在されていると、内腿フィット用吸収体における主吸収体の側縁よりも外側が内腿に沿うように変形し易くなるだけでなく、内腿に対して弾力的に押し付けられるようになるため好ましい。
【００１１】
＜請求項３記載の発明＞
前記内腿フィット用吸収体は、易折り曲げ部よりも前側の領域の後端部、及び易折り曲げ部よりも後側の領域の前端部が表面側に隆起している、請求項１又は２記載の吸収性物品。
【００１２】
（作用効果）
これにより、易折り曲げ部の前後近傍が隆起していると、その隆起部が内転筋隆起部分の前後の窪みにしっかりとフィットするため好ましい。
【００１３】
＜請求項４記載の発明＞
前記内腿フィット用吸収体は左右独立に設けられている、請求項１〜３のいずれか１項に記載の吸収性物品。
【００１４】
（作用効果）
内腿フィット用吸収体は左右連続の構造とすることもできるが、左右独立の構造とすることにより、股間部の柔軟性が損なわれず、各足の形や動きに対して独立に追従することができるため、内転筋隆起部分及びその前後の窪みに対するフィット性がより一層のものとなる。
【００１５】
＜請求項５記載の発明＞
前記内腿フィット用吸収体の後端部よりも前側には、吸収性物品の両側部に立体ギャザーが設けられておらず、
前記易折り曲げ部は前記内腿フィット用吸収体の側縁に達していない、請求項１〜４のいずれか１項に記載の吸収性物品。
【００１６】
（作用効果）
内腿フィット用吸収体は、立体ギャザーと交差する方向に延在するものであるため、その機能を効果的なものとするためには、内腿フィット用吸収体の後端部よりも前側には立体ギャザーを設けないことが望ましい。しかし、立体ギャザーを設けない状態で、内腿フィット用吸収体における易折り曲げ部が内腿フィット用吸収体の側縁まで達していると、易折り曲げ部が通路となって排泄物が導出されるおそれがある。よって、上述のように、易折り曲げ部は内腿フィット用吸収体の側縁に達しない構造を採用することが望ましい。
【００１７】
＜請求項６記載の発明＞
前記内腿フィット用吸収体は、側縁と内転筋隆起部分と交差する位置に、幅方向中央側に窪む窪み部が形成されている、請求項１〜５のいずれか１項に記載の吸収性物品。
【００１８】
（作用効果）
このような窪み部を有することにより、内腿フィット用吸収体が易折り曲げ部に沿って折れ易くなり、また折れた状態が維持され易くなる。
【００１９】
＜請求項７記載の発明＞
前記内腿フィット用吸収体の裏側に、前記内腿フィット用吸収体における前記易折り曲げ部の前側及び後側の少なくとも一方を前後方向に収縮させる隆起用弾性部材が設けられている、請求項１〜６のいずれか１項に記載の吸収性物品。
【００２０】
（作用効果）
このような隆起用弾性部材を有することにより、内腿フィット用吸収体における前記易折り曲げ部の前側及び後側の少なくとも一方が隆起して、その隆起部が内転筋隆起部分の前後の窪みにしっかりとフィットするため好ましい。
【００２１】
＜請求項８記載の発明＞
前記内腿フィット用吸収体の裏側に、前記内腿フィット用吸収体を幅方向に収縮させる湾曲用弾性部材が設けられている、請求項１〜７のいずれか１項に記載の吸収性物品。
【００２２】
（作用効果）
このような湾曲用弾性部材を有することにより、内腿フィット用吸収体は内腿に沿うように変形して、内腿に対して弾力的に押し付けられるようになるため好ましい。
【００２３】
＜請求項９記載の発明＞
前記左右の内腿フィット用吸収体間の領域の少なくとも一部と重なるように、前記主吸収体に厚み方向に貫通するスリットが形成されている、請求項４記載の吸収性物品。
【００２４】
（作用効果）
このようなスリットを形成することにより、内腿フィット用吸収体を左右独立構造とした利点、すなわち股間部の柔軟性の維持、各足の形や動きに対する独立追従性、並びに内転筋隆起部分及びその前後の窪みに対するフィット性が、より一層のものとなる。
【発明の効果】
【００２５】
以上のとおり本発明によれば、内転筋隆起部分及びその前後の窪みに対するフィット性が向上する、等の利点がもたらされる。
【図面の簡単な説明】
【００２６】
【図１】パッドタイプ使い捨ておむつの展開状態の内面側を示す平面図である。
【図２】要部のみを示す平面図である。
【図３】図１の（ａ）Ｙ−Ｙ断面図、（ｂ）Ｚ−Ｚ断面図である。
【図４】図１の（ａ）Ｘ−Ｘ断面図、（ｂ）Ｖ−Ｖ断面図である。
【図５】装着状態の表面側を示す斜視図である。
【図６】装着状態の要部を下方から見た図である。
【図７】パッドタイプ使い捨ておむつの展開状態の内面側を示す平面図である。
【発明を実施するための形態】
【００２７】
以下、本発明の一実施形態について、添付図面に示されるパッドタイプ使い捨ておむつの例を参照しながら詳説する。なお、本発明の用語のうち「股間部」とは使用時に身体の股間と対応させる部分を意味し、製品によって、図示形態のように物品の前後方向中央若しくはその近傍から前側の所定部位までの範囲であったり、物品の前後方向中央の所定範囲であったりするものである。図示形態のように、物品の前後方向中間あるいは吸収体の前後方向中間に幅の狭い括れ部分を有する場合は、「股間部」は括れ部分の最小幅部位を前後方向中央とする所定の前後方向範囲を意味する。また、「前側部分（腹側部分）」は股間部よりも前側の部分を意味し、「後側部分（背側部分）」は股間部よりも後側の部分を意味する。また吸収体における「スリット」とは、吸収体の表面から裏面に貫通する部分が所定の幅で表面に沿う方向に延在するものを意味する。
【００２８】
図１〜図４は、本発明に係るパッドタイプ使い捨ておむつ例２００を示している。このパッドタイプ使い捨ておむつ２００は、股間部Ｃ２と、その前後両側に延在する前側部分Ｆ２及び後側部分Ｂ２とを有するものである。各部の寸法は適宜定めることができ、例えば、おむつ全長Ｌ（前後方向長さ）は３５０〜７００ｍｍ程度、おむつ全幅Ｗ１は１３０〜４００ｍｍ程度（ただし、おむつの吸収面の幅より広い）とすることができ、この場合における股間部Ｃ２の前後方向長さは１０〜１５０ｍｍ程度、前側部分Ｆ２の前後方向長さは５０〜３５０ｍｍ程度、及び後側部分Ｂ２の前後方向長さは５０〜３５０ｍｍ程度とすることができる。
【００２９】
パッドタイプ使い捨ておむつ２００は、外面に外装シート２３が積層された不透液性バックシート２１の内面と、透液性トップシート２２との間に、吸収体３０，４０が介在された基本構造を有している。
【００３０】
吸収体３０，４０の裏面側には、不透液性バックシート２１が吸収体３０，４０の周縁より食み出すように設けられている。不透液性バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００３１】
また、不透液性バックシート２１の外面は、不織布からなる外装シート２３により覆われている。外装シート２３としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３２】
吸収体３０，４０の表面側は、透液性トップシート２２により覆われている。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３３】
トップシート２２と吸収体３０，４０との間には、中間シート２５を介在させるのが望ましい。この中間シート２５は、吸収体３０，４０により吸収した尿の逆戻りを防止するために設けられるものであり、保水性が低く、且つ透液性の高い素材、例えばメッシュフィルムの他、エアスルー不織布、ＳＭＭＳ不織布等の不織布を用いるのが望ましい。トップシート２２の前端を０％としトップシート２２の後端を１００％としたとき、中間シート２５の前端は０〜１１％の範囲に位置しているのが好ましく、中間シート２５の後端は９２〜１００％の範囲に位置しているのが好ましい。また、中間シート２５の幅２５ｗは吸収体３０，４０の幅Ｗ２の５０〜９０％程度であるのが好ましい。
【００３４】
パッドタイプ使い捨ておむつ２００の前後方向両端部では、不透液性バックシート２１及び外装シート２３と透液性トップシート２２とが吸収体３０，４０の前後端よりも前後両側にそれぞれ延在されて貼り合わされ、吸収体３０，４０の存在しないエンドフラップ部ＥＦが形成されている。パッドタイプ使い捨ておむつ２００の両側部においても、不透液性バックシート２１及び外装シート２３と透液性トップシート２２とが吸収体３０，４０の側縁より外側にそれぞれ延在されて貼り合わされ、吸収体３０，４０の存在しないサイドフラップ部ＳＦを構成している。これら貼り合わせ部分は、図では点模様で示されており、ホットメルト接着剤、ヒートシール、超音波シールにより形成できる。
【００３５】
特徴的には、吸収体として、主吸収体３０と内腿用吸収体４０とが設けられている。
【００３６】
吸収体３０，４０としては、パルプ繊維の積繊体、セルロースアセテート等のフィラメントの集合体、あるいは不織布を基本とし、必要に応じて粒子状等の高吸収性ポリマーを混合、固着等してなるものを用いることができる。吸収体３０，４０における繊維目付け及び高吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。高吸収性ポリマー粒子を混合する場合等、必要に応じて、吸収体３０，４０はクレープ紙等の包装シート（図示せず）により包むことができる。また、吸収体３０，４０の形状は、相対的に前側の部分が後側の部分よりも幅広な帯状、あるいは長方形状、台形状等、適宜の形状とすることができる。
【００３７】
主吸収体３０は、股間部Ｃ２を含む前後方向中間の所定部分が幅の狭い括れ部分３０ｎとして形成されている。この括れ部分３０ｎの最小幅Ｗ３は、括れ部分３０ｎの前後に位置する非括れ部分の幅（吸収体３０の全幅）Ｗ２の５０〜６５％程度であるのが好ましい。また、おむつ前端を０％としおむつ後端を１００％としたとき、括れ部分３０ｎの前端は１０〜２５％の範囲に位置しているのが好ましく、括れ部分３０ｎの後端は４０〜６５％の範囲に位置しているのが好ましく、括れ部分３０ｎの最小幅Ｗ３となる部位（最小幅部位）は２５〜３０％の範囲に位置しているのが好ましい。
【００３８】
内腿フィット用吸収体４０は、装着者の内転筋隆起部分の前側の窪みから内転筋隆起部分の後側の窪みまでの領域と対向するものであり、内転筋隆起部分に沿う線状の易折り曲げ部４１を有する。
【００３９】
内腿フィット用吸収体４０は図７に示すように左右連続の構造とすることもできるが、図１〜６に示す形態のように左右独立の構造とすることにより、股間部Ｃ２の柔軟性が損なわれず、各足の形や動きに対して独立に追従することができるため、内転筋隆起部分及びその前後の窪みに対するフィット性がより一層のものとなる。この場合、左右の内腿フィット用吸収体４０の幅方向間隔は空いてなくても（つまり接触していても）良いが、１０〜４０ｍｍ程度とするのが好ましい。さらにこの場合、左右の内腿フィット用吸収体４０間の領域の少なくとも一部と重なるように、主吸収体３０に厚み方向に貫通するスリット５０が形成されていると好ましい。このスリット５０は、左右の内腿フィット用吸収体４０間の領域の全部を含む、より広い領域とすることもできる。スリット５０の寸法は適宜定めることができるが、前後方向長さは  内腿フィット用吸収体４０の前後方向長さの０．４〜０．８倍程度、幅方向長さは、一方の内腿フィット用吸収体４０の幅方向長さの０．１〜０．５倍程度とすることができる。
【００４０】
内腿フィット用吸収体４０の位置は、内転筋隆起部分の前側の窪みから内転筋隆起部分の後側の窪みまでの領域と対向する限り適宜定めることができるが、通常の場合、前後方向においては易折り曲げ部４１が股間部Ｃ２の前寄りに位置していることが望ましい。
【００４１】
また、内腿フィット用吸収体４０は、主吸収体３０の側縁の幅方向内側にのみ、又は幅方向外側にのみ位置していても良いが、図示形態（図７の形態も含む）のように主吸収体３０の側縁の幅方向内側から幅方向外側にかけて延在されていると、内腿フィット用吸収体４０における主吸収体３０の側縁よりも外側が内腿に沿うように変形し易くなるだけでなく、内腿に対して弾力的に押し付けられるようになるため好ましい。
【００４２】
易折り曲げ部４１は、その延在方向を折り位置として折れ易くなる限り、厚肉部と薄肉部との段差や、線状の薄肉部、或いはスリットを形成することにより設けることもできるが、内腿フィット用吸収体４０がより崩れ難く、また製造が容易である点で、エンボス加工による線状の凹部により設けることが望ましい。内腿フィット用吸収体４０を易折り曲げ部４１に沿って折れ易くし、また折れた状態を維持し易くするために、内腿フィット用吸収体４０における側縁と内転筋隆起部分と交差する位置に、幅方向中央側に窪む窪み部４２を形成するのは好ましい。また、図１〜６に示す形態のように、内腿フィット用吸収体４０を左右独立とする場合には、内腿フィット用吸収体４０における幅方向中央側の縁と内転筋隆起部分と交差する位置にも、幅方向中央側に窪む窪み部４２を設けることが好ましい。
【００４３】
使用の際には、図５及び図６に示すように、内腿フィット用吸収体４０を易折り曲げ部４１で折り曲げて、装着者の太腿１１０の内転筋隆起部分１００を挟むように装着する。これにより、内転筋隆起部分１００だけでなく、その前後の窪み１０１，１０２に対しても内腿フィット用吸収体４０がしっかりとフィットするようになる。よって、内転筋隆起部分１００及びその前後の窪み１０１，１０２に起因する漏れを、より効果的に防止することができる。
【００４４】
内腿フィット用吸収体４０の形状は適宜定めることができるが、内転筋隆起部分の前側の窪みと対向する部分、及び内転筋隆起部分の後側の窪みまでの領域と対向する部分が、それぞれ内転筋隆起部分の延在方向（幅方向にも対して若干後方に傾いた方向）に細長い形状であるのが好ましい。また、内腿フィット用吸収体４０は角の丸い形状が好ましい。また、内腿フィット用吸収体４０における易折り曲げ部４１以外の部分は厚みが均一であっても良いが、図４（ｂ）に示すように、易折り曲げ部４１よりも前側の領域の後端部、及び易折り曲げ部４１よりも後側の領域の前端部（つまり、易折り曲げ部４１の前後近傍）が表面側に隆起した隆起部４３となっていると、図６に示すように、その隆起部４３が内転筋隆起部分の前後の窪みにしっかりとフィットするため好ましい。
【００４５】
なお、このような隆起部４３は当該部位の素材目付を他の部位よりも多くすることにより形成する他、当該部位を反り返らせる等の手法で形成しても良い。例えば、内腿フィット用吸収体４０の裏側に、内腿フィット用吸収体４０における易折り曲げ部４１の前側及び後側（いずれか一方のみでも良い）を前後方向に収縮させる隆起用弾性部材４４を設けることもできる。図示形態では、隆起用弾性部材４４は幅方向に間隔を空けて複数本設けられているが、これよりも少なく又は多くすることもできる。また、図示形態の隆起用弾性部材４４は易折り曲げ部４１の前側から後側にかけて連続（つまり前後両側で同じ弾性部材）しているが、易折り曲げ部４１の前側及び後側に前後独立に設けることもできる。このような隆起用弾性部材４４を有することにより、内腿フィット用吸収体４０における易折り曲げ部４１の前側及び後側が隆起して、内転筋隆起部分の前後の窪みにしっかりとフィットするようになる。
【００４６】
また、内腿フィット用吸収体４０の裏側に、内腿フィット用吸収体４０を幅方向に収縮させる湾曲用弾性部材４５を設け、内腿フィット用吸収体４０を内腿に沿うように変形させ、内腿に対して弾力的に押し付けるように構成するのも好ましい形態である。図示形態では、湾曲用弾性部材は前後方向に間隔を空けて複数本設けられているが、これよりも少なく又は多くすることもできる。湾曲用弾性部材を複数本設ける場合、同じ長さ、同じ幅方向位置で互いに平行とすると他の部分の力の影響が無いと湾曲しないため、長さ、幅方向位置、及び幅方向に対する角度の少なくとも一つ（図示形態では全て）を異ならしめる。
【００４７】
隆起用弾性部材４４及び湾曲用弾性部材４５としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００４８】
内腿フィット用吸収体４０は、立体ギャザー２４と交差する方向に延在するものであるため、その機能を効果的なものとするためには、内腿フィット用吸収体４０の後端部よりも前側には立体ギャザー２４を設けないことが望ましい。具体的に図示形態では、おむつにおける内腿フィット用吸収体４０の後端部から後端までの範囲にのみ立体ギャザー２４が設けられている。立体ギャザー２４は、折り返して二層構造とされたギャザーシート２４ｓ及び細長状弾性部材を用いて形成されており、トップシートの側部の表面に接合された付け根部分２４ｘと、この付け根部分から延びる本体部分２４ｃと、本体部分２４ｃにおける前後両端部が倒伏状態で固定されて形成された倒伏部分２４ｄと、本体部分における倒伏部分２４ｄ間の部分を非固定として形成された自由部分２４ｆとを有しており、細長状弾性部材が自由部分２４ｆの先端部におけるギャザーシート２４ｓ内に前後方向に伸長した状態で固定されているものである。このような立体ギャザー２４では、細長状弾性部材２４Ｇの収縮力により自由部分がおむつ内面（図示形態ではトップシート２２表面）に対して立ち上がる。ギャザーシート２４ｓの素材としては、プラスチックシートやメルトブローン不織布を使用することもできるが、肌への感触性の点で、不織布にシリコンなどにより撥水処理をしたものが好適に使用される。また、細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００４９】
他方、図示形態のように、内腿フィット用吸収体４０の後端部よりも前側には立体ギャザー２４を設けない形態では、内腿フィット用吸収体４０における易折り曲げ部４１が内腿フィット用吸収体４０の側縁まで達していると、易折り曲げ部４１が通路となって排泄物が導出されるおそれがある。よって、図示形態のように、易折り曲げ部４１は内腿フィット用吸収体４０の側縁に達しないように形成することが望ましい。また、図１〜６に示す形態のように、内腿フィット用吸収体４０を左右独立とする場合には、易折り曲げ部４１は内腿フィット用吸収体４０の反対側の縁（幅方向中央側の縁）にも達しないように形成しても良い。
【産業上の利用可能性】
【００５０】
本発明は、パッドタイプ、パンツタイプ若しくはテープタイプ使い捨ておむつ、または生理用ナプキン等、吸収性物品全般に利用できるものである。
【符号の説明】
【００５１】
２１…不透液性バックシート、２２…透液性トップシート、２５…中間シート、３０，４０…吸収体、３０…主吸収体、３０ｎ…括れ部分、２４…立体ギャザー、２３…外装シート、４０…内腿フィット用吸収体、２００…パッドタイプ使い捨ておむつ、Ｃ２…股間部、Ｆ２…前側部分、Ｂ２…後側部分、Ｌ…おむつ全長、Ｗ１…おむつ全幅、Ｗ２…吸収体全幅、４１…易折り曲げ部、４３…隆起部、４４…隆起用弾性部材、４５…湾曲用弾性部材、１００…内転筋隆起部分、１０１，１０２…窪み、５０…スリット。
【図１】
2014188188.tif 000003
【図２】
2014188188.tif 000004
【図３】
2014188188.tif 000005
【図４】
2014188188.tif 000006
【図５】
2014188188.tif 000007
【図６】
2014188188.tif 000008
【図７】
2014188188.tif 000009